(57)【要約】【課題】ユーザ以外の不正な使用者から個人情報を保護し、個人情報の安全性確保の向上を図ること。【解決手段】紛失、盗難、置き忘れがされた携帯電話機１００の記憶部１４０には、保護を要する個人情報、例えば、名前、電話番号、住所、メールアドレス、通話履歴、送受信メールなどの情報を記憶している。認証部１５０により認証を受けた外部接続機器からの指示により、制御部１９０は、個人情報を保護する制御信号を生成する。この生成された制御信号に基づき、制御部１９０は、個人情報を記憶部１４０から抽出するステップと、所定のメールアドレス宛に送信するステップと、この送信された個人情報を記憶部１４０から消去するステップとからなる保護処理を実行する。【選択図】    図１
2004229240.tif 000002
【特許請求の範囲】
【請求項１】
保護を要する個人情報を記憶する記憶手段と、
前記個人情報を保護するための保護処理を実行させる所定の制御信号を生成する生成手段と、
生成された所定の制御信号に基づいて前記保護処理を実行する保護手段と、
を有することを特徴とする携帯電話機。
【請求項２】
前記保護手段は、
所定の制御信号に基づいて、前記記憶手段に記憶された個人情報を消去する、
ことを特徴とする請求項１記載の携帯電話機。
【請求項３】
前記保護手段は、
所定の制御信号に基づいて、前記記憶手段に記憶された個人情報を所定の宛先に送信する、
ことを特徴とする請求項１記載の携帯電話機。
【請求項４】
前記保護手段は、
所定の制御信号に基づいて、前記記憶手段に記憶された個人情報を所定の宛先に送信した後、消去する、
ことを特徴とする請求項１記載の携帯電話機。
【請求項５】
外部機器と通信を行う通信手段、をさらに有し、
前記生成手段は、
前記外部機器からの指示情報に基づいて、所定の制御信号を生成する、
ことを特徴とする請求項２から請求項４のいずれかに記載の携帯電話機。
【請求項６】
指定された時刻を計時するタイマ手段、をさらに有し、
前記生成手段は、
指定された時刻が経過したとき、所定の制御信号を生成する、
ことを特徴とする請求項２から請求項４のいずれかに記載の携帯電話機。
【請求項７】
指定された時間間隔を計時するタイマ手段、をさらに有し、
前記生成手段は、
指定された時間間隔が経過したとき、所定の制御信号を生成する、
ことを特徴とする請求項２から請求項４のいずれかに記載の携帯電話機。
【発明の詳細な説明】
【０００１】
【発明の属する技術分野】
本発明は、携帯電話機に関する。
【０００２】
【従来の技術】
近年の携帯電話機は、高機能化が進み大容量の記憶領域を有し、大量の情報を記憶することができる。携帯電話機に記憶される情報には、多数の個人情報または機密情報、例えば、名前、電話番号、住所、メールアドレス、通話履歴、送受信メールなどが含まれており、これらは、ユーザ以外の第３者から保護すべき情報である。例えば、紛失、盗難、置き忘れ時にはユーザ以外の不正な使用者は、携帯電話機に記憶されているこれらの個人情報を入手可能な状況にいる可能性がある。
【０００３】
そこで、このようなユーザ以外の不正な使用者による使用を防止するために、あらかじめユーザの指紋情報を記憶し、使用を試みている使用者の指紋情報と記憶しているユーザの指紋情報とを比較し、両者の指紋情報が一致したときのみに機能制御を解除する携帯電話機がある（例えば特許文献１参照）。
【０００４】
【特許文献１】
特開２００２−４４７２７号公報（第４〜６頁。図１１）
【０００５】
【発明が解決しようとする課題】
しかしながら、従来の携帯電話機は、携帯電話機の機能制限を指紋認証機能のみで行っていた。このため指紋認証機能が未設定の場合、または指紋認証機能が設定解除された場合には、ユーザ以外の不正な使用者は、携帯電話機を自由に使用でき、更に携帯電話機に記憶されている連絡先の情報や通信履歴の情報からなる個人情報を自由に閲覧できる、という問題がある。すなわち、このような指紋認証機能においては、携帯電話機に記憶されている個人情報の安全性確保には一定の限界がある。
【０００６】
本発明はかかる点に鑑みてなされたものであり、ユーザ以外の不正な使用者から個人情報を保護し、個人情報の安全性確保の向上を図ることができる携帯電話機を提供することを目的とする。
【０００７】
【課題を解決するための手段】
本発明の携帯電話機は、保護を要する個人情報を記憶する記憶手段と、前記個人情報を保護するための保護処理を実行させる所定の制御信号を生成する生成手段と、生成された所定の制御信号に基づいて前記保護処理を実行する保護手段と、を有する構成を採る。
【０００８】
この構成によれば、所定の制御信号を生成し、この制御信号に基づいて、携帯電話機に記憶された保護を要する個人情報を保護するための保護処理を行うため、個人情報をユーザ以外の不正な使用者から保護し、個人情報の安全性確保の向上を図ることができる。
【０００９】
本発明の携帯電話機は、上記の構成において、前記保護手段は、所定の制御信号に基づいて、前記記憶手段に記憶された個人情報を消去する、構成を採る。
【００１０】
この構成によれば、上記保護処理として、所定の制御信号に基づいて、携帯電話機に記憶された個人情報を消去するため、ユーザ以外の不正な使用者による個人情報の閲覧を防止することができる。
【００１１】
本発明の携帯電話機は、上記の構成において、前記保護手段は、所定の制御信号に基づいて、前記記憶手段に記憶された個人情報を所定の宛先に送信する、構成を採る。
【００１２】
この構成によれば、上記保護処理として、所定の制御信号に基づいて、携帯電話機に記憶された個人情報を所定の宛先に送信するため、例えば、盗難、紛失、置き忘れ時に、携帯電話機のユーザは、携帯電話機に記憶されている個人情報をメール等を介して再び入手することができる。
【００１３】
本発明の携帯電話機は、上記の構成において、前記保護手段は、所定の制御信号に基づいて、前記記憶手段に記憶された個人情報を所定の宛先に送信した後、消去する、構成を採る。
【００１４】
この構成によれば、上記保護処理として、所定の制御信号に基づいて、携帯電話機に記憶された個人情報を所定の宛先に送信した後、消去するため、例えば、盗難、紛失、置き忘れ時において、携帯電話機のユーザは、携帯電話機に記憶されている個人情報をメール等を介して入手することができるとともに、ユーザ以外の不正な使用者による個人情報の閲覧を防止することができる。
【００１５】
本発明の携帯電話機は、上記の構成において、外部機器と通信を行う通信手段、をさらに有し、前記生成手段は、前記外部機器からの指示情報に基づいて、所定の制御信号を生成する、構成を採る。
【００１６】
この構成によれば、外部機器からの指示情報に基づいて所定の制御信号を生成するため、盗難、紛失、置き忘れ時において、携帯電話機のユーザは、外部機器から通信回線を介して携帯電話機に対して保護処理の実行を指示することができる。
【００１７】
本発明の携帯電話機は、上記の構成において、指定された時刻を計時するタイマ手段、をさらに有し、前記生成手段は、指定された時刻が経過したとき、所定の制御信号を生成する、構成を採る。
【００１８】
この構成によれば、指定された時刻が経過したときに所定の制御信号を生成するため、指定された時刻が経過すると自動的に保護処理が実行され、携帯電話機のユーザは、時刻を指定するだけで容易に保護処理の実行を指示することができる。
【００１９】
本発明の携帯電話機は、上記の構成において、指定された時間間隔を計時するタイマ手段、をさらに有し、前記生成手段は、指定された時間間隔が経過したとき、所定の制御信号を生成する、構成を採る。
【００２０】
この構成によれば、指定された時間間隔が経過したときに所定の制御信号を生成するため、指定された時間間隔が経過すると自動的に保護処理が実行され、携帯電話機のユーザは、時間間隔を指定するだけで容易に保護処理の実行を指示することができる。
【００２１】
【発明の実施の形態】
本発明の骨子は、携帯電話機に記憶されている個人情報をユーザ以外の不正な使用者から保護し、個人情報の安全性確保の向上を図ることである。
【００２２】
以下、本発明の実施の形態について、図面を参照にして詳細を説明する。
【００２３】
（実施の形態１）
実施の形態１は、紛失、盗難、置き忘れがされた携帯電話機に記憶されている個人情報を、外部機器からの指示情報に基づき消去する場合である。これにより、ユーザ以外の不正な使用者は、携帯電話機を操作しても個人情報を閲覧できない。
【００２４】
図１は、本発明の実施の形態１に係る携帯電話機の構成を示すブロック図である。
【００２５】
携帯電話機１００は、アンテナ１１０と、所定の送信処理（例えば、ベースバンド信号のアップコンバート等）を行う送信部１２０と、所定の受信処理（例えば、アンテナ１１０で受信された信号のダウンコンバート等）を行う受信部１３０と、各種情報（保護を要する個人情報を含む）を記憶する記憶部１４０と、パスワード等の認証を行う認証部１５０と、ユーザの入力操作を受け付ける操作部１６０と、音声の録音・再生を行う音声部１７０と、所定の情報を表示する表示部１８０と、上記各部１２０〜１８０を統括的に制御する制御部１９０とを有し、上記各部１２０〜１９０はバス２００を介して相互に接続されている。なお、操作部１６０は、例えば、各種のキーやタッチパネルなどから構成されるが、これらに限定されるものではない。また、保護を要する個人情報には、例えば、名前、電話番号、住所、メールアドレス、通話履歴、送受信メールなどがある。
【００２６】
図２は、携帯電話機１００と外部機器との関係を示すシステム構成図である。図２に示す通話システムにおいて、携帯電話機１００は、別の携帯電話機３２０、または有線方式の固定電話機３４０、または通信端末３６０との間で相互に通信可能である。具体的には、携帯電話機１００と別の携帯電話機３２０との通信は、基地局３００と基地局３１０とを介してなされており、携帯電話機１００と基地局３００との間は無線通信回線を、基地局３１０と別の携帯電話機３２０との間も無線通信回線を用いている。また、携帯電話機１００と固定電話機３４０との通信は、基地局３００と交換機３３０とを介してなされており、携帯電話機１００と基地局３００との間は無線通信回線を、交換機３３０と別の固定電話機３４０との間は有線通信回線を用いている。さらに、携帯電話機１００と通信端末３６０との通信は、インターネット網からなる通信回線３５０を介してなされており、携帯電話機１００と基地局３００との間は無線通信回線を、基地局３００と通信端末３６０との間は通信回線３５０を用いている。
【００２７】
本実施の形態では、携帯電話機１００は、別の携帯電話機３２０からの指示を受けて所定の保護処理（情報の消去）を行うが、携帯電話機１００への指示元はこれに限定されない。例えば、携帯電話機１００は、無線回線を介した携帯電話機３２０以外にも、有線通信を介した固定電話機３４０や、インターネット等の通信回線３５０を介して情報のやり取りを行う通信端末３６０からの指示を受けるようにしてもよい。
【００２８】
次いで、上記構成を有する携帯電話機１００の動作について、図３に示すフローチャートを用いて説明する。
【００２９】
まず、ステップＳＴ１０００では、受信部１３０で、通信回線とアンテナ１１０を介して、外部の携帯電話機３２０からの呼出しを受信する。
【００３０】
ステップＳＴ１１００では、操作部１６０で通話開始を意味する通話開始キーの操作の有無を検知する。通話開始キーの操作を検知した場合には、外部の携帯電話機３２０と携帯通信端末１００との間での通話を開始し、ステップＳＴ１２００へ制御を移行する。通話開始キーの操作を検知しない場合には、累計呼出回数を算出し（ＳＴ１１５０）、ステップＳＴ１３００へ制御を移行する。
【００３１】
ステップＳＴ１３００では、ステップＳＴ１１５０で算出された累計呼出回数と、ユーザが設定可能で記憶部１４０に記憶してある所定呼出回数（例えばＮ１回）とを比較し、累計呼出回数と所定呼出回数の大小を比較する。累計呼出回数が所定呼出回数以上の場合には、外部の携帯電話機３２０と通信状態になり、ステップＳＴ１４００に制御を移行する。また累計呼出回数が所定呼出回数未満の場合には、通話開始キーを検知するステップＳＴ１１００へ制御を移行する。すなわち、通話開始キーの検知、または累計呼出回数が所定呼出回数に到達するかの一方が成立するまで、ステップＳＴ１１００〜ステップＳＴ１３００を繰り返す。
【００３２】
ステップＳＴ１４００では、送信部１２０を介して留守番応答メッセージを外部にある携帯電話機３２０に送信させ、外部機器からの音声情報または信号情報を受信する。
【００３３】
そして、ステップＳＴ１５００では、認証部１５０で、外部にある携帯電話機から受信した識別情報と、記憶部１４０に記憶されている識別情報との一致性を判定する。なお、識別情報は、記憶部１４０に記憶されており、あらかじめ定められている１個または複数個からなる記号情報である。外部機器から受信した識別情報と記憶部１４０に記憶されている識別情報とが一致すると判定された場合には、外部の携帯電話機３２０からの認証を許可しステップＳＴ１７００へ制御を移行する。外部機器から受信した識別情報と記憶部１４０に記憶されている識別情報とが一致しない場合には、外部機器の認証を許可せず、再入力の可否を判別するステップＳＴ１６００へ制御を移行する。
【００３４】
ステップＳＴ１６００では、ステップＳＴ１５００での識別情報が不一致の回数を累計し、自由に設定可能な所定の回数（本実施例ではＮ２回）と比較する。この累計回数が、所定の回数（Ｎ２回）未満の場合には、ステップＳＴ１５００に制御を移行し、識別情報の再入力を許可する。この累計回数が、所定の回数（Ｎ２回）以上の場合には、ステップＳＴ２２００に制御を移行し、通信回線を切断する。
【００３５】
ステップＳＴ１７００では、「電話帳を消去してもよいですか。」という旨のメッセージを送信部１２０を介して、外部の携帯電話機３２０に送信する。
【００３６】
そして、ステップＳＴ１８００では、外部の携帯電話機３２０から送信された情報と記憶部１４０に記憶されている動作暗証番号とを比較し、同一性を判定する。送信された情報と動作暗証番号とが同一である場合、保護処理を実行するステップＳＴ２０００に制御を移行する。また、送信された情報と動作暗証番号とが同一でない場合、動作暗証番号の再入力の可否を判別するステップＳＴ１９００へ制御を移行する。
【００３７】
ステップＳＴ１９００では、ステップＳＴ１４００において送信された情報と動作暗証番号とが不一致の回数を累計し、自由に設定可能な所定の回数（本実施例ではＮ３回）と比較する。この累計した回数が、所定の回数（Ｎ３回）未満の場合には、ステップＳＴ１８００に制御を移行し、動作暗証番号の再入力を許可する。この累計した回数が、所定の回数（Ｎ３回）以上の場合には、ステップＳＴ２２００に制御を移行し、通信回線を切断する。
【００３８】
ステップＳＴ２０００では、記憶部１４０に記憶されている個人情報のうち、削除するようにあらかじめ設定されている情報、または外部の携帯電話機３２０から削除するように指示された情報を抽出する。具体的には、記憶部１４０に記憶されている個人情報は、送信先の氏名、電話番号、住所、メールアドレス、通信履歴情報、通信メール情報などがあるが、これらの情報の１または複数を削除するために抽出する。
【００３９】
そして、ステップＳＴ２１００では、記憶部１４０に記憶されている個人情報のうち、ステップＳＴ２０００で抽出された個人情報を選択的に削除する。
【００４０】
そして、ステップＳＴ２２００では、通信回線を切断する。
【００４１】
以上の処理により、外部の携帯電話機からの指令情報に基づき、携帯電話機１００に記憶されている個人情報を選択的に消去することができる。これにより、盗難、紛失、置き忘れ時に、ユーザは、携帯電話機１００に記憶されている個人情報を削除することができ、ユーザ以外の不正な使用者が個人情報を閲覧することを防止する。
【００４２】
（実施の形態２）
実施の形態２は、紛失、盗難、置き忘れがされた携帯電話機に記憶されている個人情報を、外部機器からの指示情報に基づき所定のメールアドレス宛に送信する場合である。これにより、ユーザは、紛失、盗難、置き忘れがされた携帯電話機に記憶されている個人情報を取得することができる。
【００４３】
本発明の実施の形態２にかかわる携帯電話機の構成を示すブロック図は、図１に示す実施の形態１に対応する携帯電話機のブロック図と同様の構成を示しており、共通する部分の説明は省略する。なお、以下の説明では、図１中の符号を適宜引用する。
【００４４】
次いで、上記構成を有する携帯電話機１００の動作について、図４に示すフローチャートを用いて説明する。
【００４５】
図４に示したフローチャートは、本発明の実施の形態１にかかわる図３に示したフローチャート中のステップＳＴ２１００の個人情報を消去するステップを、新たにステップＳＴ２０１０の個人情報をメール形式に変更するステップとステップＳＴ２０２０の個人情報をメール送信するステップとに置き換えたフローチャートである。重複したステップの説明は省略し、動作暗証番号を認証したステップＳＴ２０００以降を説明する。
【００４６】
まず、ステップＳＴ２０００では、記憶部１４０に記憶されている個人情報のうち、メールで所定のアドレス宛に送信するようにあらかじめ設定されている情報、または外部の携帯電話機３２０からメールで所定のアドレス宛に送信するように指示された情報を抽出する。具体的には、記憶部１４０に記憶されている個人情報は、送信先の氏名、電話番号、住所、メールアドレス、通信履歴情報、通信メール情報などがあるが、これらの情報の１または複数をメールで所定のアドレス宛に送信するために抽出する。
【００４７】
そして、ステップＳＴ２０１０では、ステップＳＴ２０００で抽出された個人情報を、メールで送信できる形式に変更する。
【００４８】
そして、ステップＳＴ２０２０では、ステップＳＴ２０１０でメール送信可能な形式に変更された個人情報を、所定のアドレス宛にメールで送信する。
【００４９】
そして、ステップＳＴ２２００では、通信回線を切断する。
【００５０】
以上の処理により、携帯電話機１００は、外部の携帯電話機からの指令に基づき、携帯電話機１００に記憶されている個人情報を選択的に、所定のメールアドレス宛に送信することができる。これにより、盗難、紛失、置き忘れ時に、ユーザは、携帯電話機１００に記憶されている個人情報をメールを介して入手することができ、記憶されていた個人情報の再現をすることができる。
【００５１】
（実施の形態３）
実施の形態３は、紛失、盗難、置き忘れがされた携帯電話機に記憶されている個人情報を、外部機器からの指示情報に基づき、はじめに所定のメールアドレス宛に送信し、次に消去する場合である。これにより、ユーザは、紛失、盗難、置き忘れがされた携帯電話機に記憶されている個人情報を取得することができ、さらにユーザ以外の不正な使用者は、携帯電話機を操作しても個人情報を閲覧することができない。
【００５２】
本発明の実施の形態３にかかわる携帯電話機の構成を示すブロック図は、図１に示す実施の形態１に対応する携帯電話機のブロック図と同様の構成を示しており、共通する部分の説明は省略する。なお、以下の説明では、図１中の符号を適宜引用する。
【００５３】
次いで、上記構成を有する携帯電話機１００の動作について、図５に示すフローチャートを用いて説明する。
【００５４】
図５に示したフローチャートは、本発明の実施の形態２にかかわる図４に示したフローチャート中のステップＳＴ２０２０の個人情報をメール送信するステップの後に、新たにステップＳＴ２１００の個人情報を削除するステップを挿入したフローチャートである。重複したステップの説明は省略し、動作暗証番号を認証したステップＳＴ２０００以降を説明する。
【００５５】
まず、ステップＳＴ２０００では、記憶部１４０に記憶されている個人情報のうち、メールで所定のアドレス宛に送信して削除するようにあらかじめ設定されている情報、または外部の携帯電話機３２０からメールで所定のアドレス宛に送信して削除するように指示された個人情報を抽出する。具体的には、記憶部１４０に記憶されている個人情報は、送信先の氏名、電話番号、住所、メールアドレス、通信履歴情報、通信メール情報などがあるが、これらの情報の１または複数をメールで所定のアドレス宛に送信し、その後削除するために抽出する。
【００５６】
そして、ステップＳＴ２０１０では、ステップＳＴ２０００で抽出された個人情報を、メールで送信できる形式に変更する。
【００５７】
そして、ステップＳＴ２０２０では、ステップＳＴ２０１０でメール送信可能な形式に変更された個人情報を、所定のアドレス宛にメールで送信する。
【００５８】
そして、ステップＳＴ２１００では、ステップＳＴ２０２０で所定のアドレス宛に送信された個人情報を選択的に削除する。
【００５９】
そして、ステップＳＴ２２００では、通信回線を切断する。
【００６０】
以上の処理により、携帯電話機１００は、外部の携帯電話機からの指令に基づき、携帯電話機１００に記憶されている個人情報を、選択的に、所定のメールアドレス宛に送信し、その後送信した個人情報を削除することができる。これにより、盗難、紛失、置き忘れ時に、ユーザは、携帯電話機１００に記憶されている個人情報をメールとして受信し、記憶されていた個人情報を再現することができる。さらに、ユーザは、携帯電話機１００に記憶されている個人情報を削除することができ、ユーザ以外の不正な使用者が個人情報を閲覧することを不可能にすることができる。
【００６１】
（実施の形態４）
実施の形態４は、あらかじめ設定されている時刻に到達するまでに操作がされない時に、携帯電話機に記憶されている個人情報を消去する場合である。これにより、ユーザ以外の不正な使用者は、携帯電話機を操作しても個人情報を閲覧することができない。
【００６２】
図６は、本発明の実施の形態４に係る携帯電話機の構成を示すブロック図である。
【００６３】
携帯電話機４００は、アンテナ１１０と、送信部１２０と、受信部１３０と、記憶部１４０と、認証部１５０と、操作部１６０と、音声部１７０と、時間や時間間隔を計時するタイマ部４１０と、表示部１８０と、制御部４２０とがあり、各部はバス２００を介することで相互に接続されている。なお、操作部１６０は、ボタン、キーボード、タッチパネルなどから構成されるが、これらに限定されるものではない。
【００６４】
次いで、上記構成を有する携帯電話機４００の動作について、図７に示すフローチャートを用いて説明する。
【００６５】
まず、ステップＳＴ４０００では、操作部１６０から入力された保護処理の開始時刻を意味する保護処理時刻を検出し、記憶部１４０に記憶する。
【００６６】
そして、ステップＳＴ４１００では、操作部１６０の入力操作に基づき送信される操作信号を検知し、携帯電話機４００の入力操作の有無を判別する。携帯電話機４００の入力操作が有ると判別した場合には、ステップＳＴ４２００の通話などを行う通常動作に制御を移行する。携帯電話機４００の入力操作が無いと判別した場合には、ステップＳＴ４３００に制御を移行する。
【００６７】
ステップＳＴ４３００では、ステップＳＴ４０００で設定され記憶部１４０に記憶されている保護処理時刻と、タイマ部４１０で計時している計時時刻の前後を比較する。保護処理時刻が計時時刻の前である場合は、携帯電話機４００の入力操作の有無を検出するステップＳＴ４１００に制御を移行する。保護処理時刻が計時時刻の後である場合は、制御をステップＳＴ４４００に制御を移行する。すなわち、携帯電話機４００の操作を検出する場合か、保護処理時刻が計時時刻の後となる場合のいずれかが成立するまで、ステップＳＴ４１００とステップＳＴ４３００を繰り返すことになる。
【００６８】
ステップＳＴ４４００では、ユーザがあらかじめ設定している所定のメールアドレス宛に、記憶部１４０に記憶している個人情報を削除する判断を求めるメールを送信する。ユーザは、携帯電話機４００から送信された、このメールを受信し、許可または不許可を判断する。この判断結果に基づき、ユーザは、個人情報の削除を許可または不許可する旨の情報と、記憶部１４０に記憶されている許可符号とをメールで携帯電話機４００に送信する。
【００６９】
そして、ステップＳＴ４５００では、携帯電話機４００は、ステップＳＴ４４００で送信されたユーザからのメールを受信する。
【００７０】
そして、ステップＳＴ４６００では、ステップＳＴ４５００で受信したメールを解析し、個人情報の削除を許可する旨の許可情報と、記憶部１４０に記憶されている許可符号とが含まれているかを判別する。ユーザから受信したメールに許可情報と許可符号とが含まれていない場合には、回線を切断するステップＳＴ４９００に制御を移行する。ユーザから受信したメールに許可情報と許可符号とが含まれている場合には、個人情報の削除を実行するためにステップＳＴ４７００へと制御を移行する。
【００７１】
ステップＳＴ４７００では、記憶部１４０に記憶されている個人情報のうち、削除するようにあらかじめ設定されている情報、または削除するようにステップＳＴ４５００で受信したメールで指示された情報を抽出する。具体的には、記憶部１４０に記憶されている個人情報は、送信先の氏名、電話番号、住所、メールアドレス、通信履歴情報、通信メール情報などがあるが、これらの情報の１または複数を削除するために抽出する。
【００７２】
そして、ステップＳＴ４８００では、ステップＳＴ４７００で抽出された個人情報を記憶部１４０から選択的に削除する。
【００７３】
そして、ステップＳＴ４９００では、通信回線を切断する。
【００７４】
以上の処理により、携帯電話機４００は、操作部１６０での入力操作がされずにユーザが設定した保護処理時刻に達した場合に、記憶している個人情報を選択的に消去することができる。これにより、盗難、紛失、置き忘れ時に、ユーザは、携帯電話機４００に記憶されている個人情報を自動的に削除することができ、ユーザ以外の不正な使用者が個人情報を閲覧すること防止する。
【００７５】
（実施の形態５）
実施の形態５は、あらかじめ設定されている時刻に到達するまでに操作がされない時に、携帯電話機に記憶されている個人情報を所定のメールアドレス宛に送信する場合である。これにより、ユーザは、紛失、盗難、置き忘れがされた携帯電話機に記憶されている個人情報を取得することができる。
【００７６】
本発明の実施の形態５にかかわる携帯電話機の構成を示すブロック図は、図６に示す実施の形態４に対応する携帯電話機のブロック図と同様の構成を示しており、共通する部分の説明は省略する。なお、以下の説明では、図６中の符号を適宜引用する。
【００７７】
次いで、上記構成を有する携帯電話機４００の動作について、図８に示すフローチャートを用いて説明する。
【００７８】
図８に示したフローチャートは、本発明の実施の形態４にかかわる図７に示したフローチャートのステップＳＴ４８００の個人情報を消去するステップを、新たにステップＳＴ４７１０の個人情報をメール形式に変更するステップとステップＳＴ４７２０の個人情報をメール送信するステップとに置き換えたフローチャートである。重複したステップの説明は省略するが、許可または不許可の判断を求めるメールを送付するステップＳＴ４４００以降を説明する。
【００７９】
まず、ステップＳＴ４４００では、ユーザが設定している所定のメールアドレス宛に、記憶部１４０に記憶している個人情報を所定のアドレス宛に送信する判断を求めるメールを送信する。ユーザは、携帯電話機４００から送信された、このメールを受信し、許可または不許可を判断する。この判断結果に基づき、ユーザは、個人情報を所定のアドレス宛に送信する許可または不許可をする旨の情報と、記憶部１４０に記憶されている許可符号とをメールで携帯電話機４００に送信する。
【００８０】
そして、ステップＳＴ４５００では、携帯電話機４００は、ステップＳＴ４４００で送信されたユーザからのメールを受信する。
【００８１】
そして、ステップＳＴ４６００では、ステップＳＴ４５００で受信したメールを解析し、個人情報を所定のアドレス宛に送信を許可する許可情報と、記憶部１４０に記憶されている許可符号とが含まれているかを判別する。ユーザから受信したメールに許可情報と許可符号とが含まれていない場合には、回線を切断するステップＳＴ４９００に制御を移行する。ユーザから受信したメールに許可情報と許可符号とが含まれている場合には、個人情報を所定のアドレス宛に送信するためにステップＳＴ４７００へと制御を移行する。
【００８２】
ステップＳＴ４７００では、記憶部１４０に記憶されている個人情報のうち、所定のアドレス宛に送信するようにあらかじめ設定されている情報、または所定のアドレス宛に送信するようにステップＳＴ４５００で受信したメールで指示された情報を抽出する。具体的には、記憶部１４０に記憶されている個人情報は、送信先の氏名、電話番号、住所、メールアドレス、通信履歴情報、通信メール情報などがあるが、これらの情報の１または複数を所定のアドレス宛に送信するために抽出する。
【００８３】
そして、ステップＳＴ４７１０では、ステップＳＴ４７００で抽出された個人情報を、メールで送信できる形式に変更する。
【００８４】
そして、ステップＳＴ４７２０では、ステップＳＴ４７１０でメール送信形式に変更された個人情報を、所定のアドレス宛にメールで送信する。
【００８５】
そして、ステップＳＴ４９００では、通信回線を切断する。
【００８６】
以上の処理により、携帯電話機４００は、操作部１６０での入力操作がなされずに、ユーザが設定した保護処理時刻に達した場合に、記憶している個人情報を選択的に所定のアドレス宛に送信することができる。これにより、盗難、紛失、置き忘れ時に、ユーザは、携帯電話機４００に記憶されている個人情報をメールを介して入手することができ、記憶されていた個人情報の再現ができる。
【００８７】
（実施の形態６）
実施の形態６は、あらかじめ設定されている時刻に到達するまでに操作がされない時に、携帯電話機に記憶されている個人情報を、はじめに所定のメールアドレス宛に送信し、次に消去する場合である。これにより、ユーザは、紛失、盗難、置き忘れがされた携帯電話機に記憶されている個人情報を取得することができ、さらにユーザ以外の不正な使用者は、携帯電話機を操作しても個人情報を閲覧することができない。
【００８８】
本発明の実施の形態６にかかわる携帯電話機の構成を示すブロック図は、図６に示す実施の形態４に対応する携帯電話機のブロック図と同様の構成を示しており、共通する部分の説明は省略する。なお、以下の説明では、図６中の符号を適宜引用する。
【００８９】
次いで、上記構成を有する携帯電話機４００の動作について、図９に示すフローチャートを用いて説明する。
【００９０】
図９に示したフローチャートは、本発明の実施の形態５にかかわる図８に示したフローチャートのステップＳＴ４７２０の個人情報をメール送信するステップの後に、新たにステップＳＴ４８００の個人情報を削除するステップを挿入したフローチャートである。重複したステップの説明は省略するが、許可または不許可の判断を求めるメールを送付するステップＳＴ４４００以降を説明する。
【００９１】
まず、ステップＳＴ４４００では、ユーザが設定している所定のメールアドレス宛に、記憶部１４０に記憶されている個人情報を所定のアドレス宛に送信してから削除する判断を求める旨のメールを送信する。ユーザは、この携帯電話機４００から送信されたメールを受信し、許可または不許可を判断する。この判断結果に基づき、ユーザは個人情報を所定のアドレス宛に送信してから削除する許可または不許可をする旨の情報と、記憶部１４０に記憶されている許可符号とをメールで携帯電話機４００に送信する。
【００９２】
そして、ステップＳＴ４５００では、携帯電話機４００は、ステップＳＴ４４００で送信されたユーザからのメールを受信する。
【００９３】
そして、ステップＳＴ４６００では、ステップＳＴ４５００で受信したメールを解析し、個人情報を所定のアドレス宛に送信してから削除をすることを許可する旨の許可情報と、記憶部１４０に記憶されている許可符号とが含まれているかを判別する。ユーザから受信したメールに許可情報と許可符号とが含まれていない場合には、回線を切断するステップＳＴ４９００に制御を移行する。ユーザから受信したメールに許可情報と許可符号とが含まれている場合には、個人情報を所定のアドレス宛に送信してから削除をするためにステップＳＴ４７００へと制御を移行する。
【００９４】
ステップＳＴ４７００では、記憶部１４０に記憶されている個人情報のうち、所定のアドレス宛に送信してから削除するようにあらかじめ設定されている情報、または所定のアドレス宛に送信してから削除するようにステップＳＴ４５００で受信したメールで指示された情報を抽出する。具体的には、記憶部１４０に記憶されている個人情報は、送信先の氏名、電話番号、住所、メールアドレス、通信履歴情報、通信メール情報などがあるが、これらの情報の１または複数を所定のアドレス宛に送信してから削除するために抽出する。
【００９５】
そして、ステップＳＴ４７１０では、ステップＳＴ４７００で抽出された個人情報を、メールで送信できる形式に変更する。
【００９６】
そして、ステップＳＴ４７２０では、ステップＳＴ４７１０でメール送信可能に変更された情報を、所定のアドレス宛にメールで送信する。
【００９７】
そして、ステップＳＴ４８００では、ステップＳＴ４７００で抽出された個人情報を記憶部１４０から選択的に削除する。
【００９８】
そして、ステップＳＴ４９００では、通信回線を切断する。
【００９９】
以上の処理により、携帯電話機４００は、操作部１６０での入力操作がなされずに、ユーザが設定した保護処理時刻に達した場合に、記憶している個人情報を選択的に所定のアドレス宛に送信してから削除することができる。これにより、盗難、紛失、置き忘れ時に、ユーザは、携帯電話機４００に記憶されている個人情報をメールを介して入手することができ、記憶されていた個人情報を再現することができるとともに、個人情報を削除することができ、ユーザ以外の不正な使用者が個人情報を閲覧することを不可能にする。
【０１００】
（実施の形態７）
実施の形態７は、あらかじめ設定されている時間間隔の間に操作がされない時に、携帯電話機に記憶されている個人情報を消去する場合である。これにより、ユーザ以外の不正な使用者は、携帯電話機を操作しても個人情報を閲覧することができない。
【０１０１】
本発明の実施の形態７にかかわる携帯電話機の構成を示すブロック図は、図６に示す実施の形態４に対応する携帯電話機のブロック図と同様の構成を示しており、共通する部分の説明は省略する。なお、以下の説明では、図６中の符号を適宜引用する。
【０１０２】
次いで、上記構成を有する携帯電話機４００の動作について、図１０に示すフローチャートを用いて説明する。
【０１０３】
まず、ステップＳＴ７０００では、操作部１６０から入力された保護処理が動作開始する時間間隔を意味する保護周期を検出し、記憶部１４０に記憶する。
【０１０４】
そして、ステップＳＴ７１００では、ステップＳＴ７０００で保護周期が設定された時刻をタイマ４１０で検出し、その時刻を保護周期設定時刻として記憶部１４０に記憶する。
【０１０５】
そして、ステップＳＴ７２００では、ステップＳＴ７０００で保護周期を設定した時刻を意味する保護周期設定時刻と、保護周期と、操作部１６０の入力操作が最後になされた最終操作時刻とから、保護処理を開始させる保護処理時刻を算出する。
【０１０６】
具体的には、保護処理時刻は、保護周期を設定した保護周期設定時刻から保護周期経過した時刻、または最終操作時刻から保護周期経過した時刻のうちの、後の時刻として設定される。すなわち、操作部１６０で最後の操作が終了した時刻から、操作部１６０での次の操作がされずに保護周期を経過した時刻を、保護処理時刻として設定する。
【０１０７】
そして、ステップＳＴ７３００では、操作部１６０の入力操作に基づき送信される操作信号を検知し、携帯電話機４００の入力操作の有無を判別する。携帯電話機４００の入力操作が有ると判別した場合には、ステップＳＴ７４００に制御を移行する。携帯電話機４００の操作が無いと判別した場合には、ステップＳＴ７５００へ制御を移行する。
【０１０８】
ステップＳＴ７４００では、操作を検知して操作部１６０が送信する検知信号に基づき、操作部１６０の操作が終了したことを検出し、この操作が終了した時刻をタイマ部４１０から取得し、最終操作設定時刻として記憶する。
【０１０９】
ステップＳＴ７５００では、ステップＳＴ７２００で設定され記憶部１４０に記憶されている保護処理時刻と、タイマ部４１０で計時している計時時刻の前後を比較する。保護処理時刻が計時時刻の前である場合は、携帯電話機４００の操作の有無を検出するステップＳＴ７３００に移行する。保護処理時刻が計時時刻の後である場合は、制御をステップＳＴ７６００に制御を移行する。すなわち、操作部１６０で最後の操作を検出した時刻から、次の操作を検出することなく保護周期を経過するまで、ステップＳＴ７２００とステップＳＴ７３００とステップＳＴ７５００とを繰り返すことになる。
【０１１０】
ステップＳＴ７６００では、ユーザがあらかじめ設定している所定のメールアドレス宛に、記憶部１４０に記憶されている個人情報を削除する判断を求めるメールを送信する。ユーザは、携帯電話機４００から送信された、このメールを受信し、許可または不許可を判断する。この判断結果に基づき、ユーザは、個人情報の削除を許可または不許可とする旨の情報と、記憶部１４０に記憶されている許可符号とをメールで携帯電話機４００に送信する。
【０１１１】
そして、ステップＳＴ７７００では、携帯電話機４００は、ステップＳＴ７６００で送信されたユーザからのメールを受信する。
【０１１２】
そして、ステップＳＴ７８００では、ステップＳＴ７７００で受信したメールを解析し、個人情報の削除を許可する旨の許可情報と、記憶部１４０に記憶されている許可符号とが含まれているかを判別する。ユーザから受信したメールに許可情報と許可符号とが含まれていない場合には、回線を切断するステップＳＴ８１００に制御を移行する。ユーザから受信したメールに許可情報と許可符号とが含まれている場合には、個人情報の削除を実行するためにステップＳＴ７９００へと制御を移行する。
【０１１３】
ステップＳＴ７９００では、記憶部１４０に記憶されている個人情報のうち、削除するようにあらかじめ設定されている情報、または削除するようにステップＳＴ７７００で受信したメールで指示された情報を抽出する。具体的には、記憶部１４０に記憶されている個人情報は、送信先の氏名、電話番号、住所、メールアドレス、通信履歴情報、通信メール情報などがあるが、これらの情報の１または複数を削除するために抽出する。
【０１１４】
そして、ステップＳＴ８０００では、ステップＳＴ７９００で抽出された個人情報を記憶部１４０から削除する。
【０１１５】
そして、ステップＳＴ８１００では、通信回線を切断する。
【０１１６】
以上の処理により、携帯電話機４００は、最後に操作部１６０の操作がなされ、次の操作がされることなく、保護周期を経過した時点で、記憶部１４０に記憶されている個人情報を消去することができる。これにより、盗難、紛失、置き忘れ時に、ユーザは、携帯電話機４００に記憶されている個人情報を削除することができ、ユーザ以外の不正な使用者が個人情報を閲覧することを防止する。
【０１１７】
（実施の形態８）
実施の形態８は、あらかじめ設定されている時間間隔の間に操作がされない時に、携帯電話機に記憶されている個人情報を所定のメールアドレス宛に送信する場合である。これにより、ユーザは、紛失、盗難、置き忘れがされた携帯電話機に記憶されている個人情報を取得することができる。
【０１１８】
本発明の実施の形態８にかかわる携帯電話機の構成を示すブロック図は、図６に示す実施の形態４に対応する携帯電話機のブロック図と同様の構成を示しており、共通する部分の説明は、省略する。なお、以下の説明では、図６中の符号を適宜引用する。
【０１１９】
次いで、上記構成を有する携帯電話機４００の動作について、図１１に示すフローチャートを用いて説明する。
【０１２０】
図１１に示したフローチャートは、本発明の実施の形態７にかかわる図１０に示したフローチャート中のステップＳＴ８０００の個人情報を消去するステップを、新たにステップＳＴ７９１０の個人情報をメール形式に変更するステップとステップＳＴ７９２０の個人情報をメール送信するステップとに置き換えたフローチャートである。重複したステップの説明は省略するが、許可または不許可の判断を求めるメールを送付するステップＳＴ７６００以降を説明する。
【０１２１】
まず、ステップＳＴ７６００では、ユーザが設定している所定のメールアドレス宛に、記憶部１４０に記憶されている個人情報を所定のアドレス宛に送信する判断を求めるメールを送信する。ユーザは、携帯電話機４００から送信された、このメールを受信し、許可または不許可を判断する。この判断結果に基づき、ユーザは、個人情報を所定のアドレス宛に送信する許可または不許可とする旨の情報と、記憶部１４０に記憶されている許可符号とをメールで携帯電話機４００に送信する。
【０１２２】
そして、ステップＳＴ７７００では、携帯電話機４００は、ステップＳＴ７６００で送信されたユーザからのメールを受信する。
【０１２３】
そして、ステップＳＴ７８００では、ステップＳＴ７７００で受信したメールを解析し、個人情報を所定のアドレス宛へ送信を許可する旨の許可情報と、記憶部１４０に記憶されている許可符号とが含まれているかを判別する。ユーザから受信したメールに許可情報または許可符号が含まれていない場合には、回線を切断するステップＳＴ８１００に制御を移行する。ユーザから受信したメールに許可情報と許可符号とが含まれている場合には、個人情報を所定のアドレス宛へ送信をするためにステップＳＴ７９００へと制御を移行する。
【０１２４】
ステップＳＴ７９００では、記憶部１４０に記憶されている個人情報のうち、所定のアドレス宛に送信するようにあらかじめ設定されている情報、または所定のアドレス宛に送信するようにステップＳＴ７７００で受信したメールで指示された情報を抽出する。具体的には、記憶部１４０に記憶されている個人情報は、送信先の氏名、電話番号、住所、メールアドレス、通信履歴情報、通信メール情報などがあるが、これらの情報の１または複数を所定のアドレス宛に送信するために抽出する。
【０１２５】
そして、ステップＳＴ７９１０では、ステップＳＴ７９００で抽出された個人情報を、メールで送信できる形式に変更する。
【０１２６】
そして、ステップＳＴ７９２０では、ステップＳＴ７９１０でメール送信可能な形式に変更された個人情報を、所定のアドレス宛にメールで送信する。
【０１２７】
そして、ステップＳＴ８１００では、通信回線を切断する。
【０１２８】
以上の処理により、携帯電話機４００は、最後に操作部１６０の操作がなされ、次の操作がされることなく、保護周期を経過した時点で、記憶部１４０に記憶されている個人情報を所定のアドレス宛に送信することができる。これにより、盗難、紛失、置き忘れ時に、ユーザは、携帯電話機４００に記憶している個人情報をメールを介して入手することができ、記憶されていた個人情報を再現できる。
【０１２９】
（実施の形態９）
実施の形態９は、あらかじめ設定されている時間間隔の間に操作がされない時に、携帯電話機に記憶されている個人情報を、はじめに所定のメールアドレス宛に送信し、次に消去する場合である。これにより、ユーザは、紛失、盗難、置き忘れがされた携帯電話機に記憶されている個人情報を取得することができ、さらにユーザ以外の不正な使用者は、携帯電話機を操作しても個人情報を閲覧することができない。
【０１３０】
本発明の実施の形態９にかかわる携帯電話機の構成を示すブロック図は、図６に示す実施の形態４に対応する携帯電話機のブロック図と同様の構成を示しており、共通する部分の説明は省略する。なお、以下の説明では、図６中の符号を適宜引用する。
【０１３１】
次いで、上記構成を有する携帯電話機４００の動作について、図１２に示すフローチャートを用いて説明する。
【０１３２】
図１２に示したフローチャートは、本発明の実施の形態８にかかわる図１１に示したフローチャート中のステップＳＴ７９２０の個人情報をメールで送信するステップの後に、新たにステップＳＴ８０００の個人情報を削除するステップを挿入したフローチャートである。重複したステップの説明は省略するが、許可または不許可の判断を求めるメールを送付するステップＳＴ７６００以降を説明する。
【０１３３】
まず、ステップＳＴ７６００では、ユーザが設定している所定のメールアドレス宛に、記憶部１４０に記憶されている個人情報を所定のアドレス宛に送信してから削除する判断を求めるメールを送信する。ユーザは、携帯電話機４００から送信された、このメールを受信し、許可または不許可を判断する。この判断結果に基づき、ユーザは、個人情報を所定のアドレス宛に送信してから削除する許可または不許可の情報と、記憶部１４０に記憶されている許可符号とをメールで携帯電話機４００に送信する。
【０１３４】
そして、ステップＳＴ７７００では、携帯電話機４００は、ステップＳＴ７６００で送信されたユーザからのメールを受信する。
【０１３５】
そして、ステップＳＴ７８００では、ステップＳＴ７７００で受信したメールを解析し、個人情報を所定のアドレス宛へ送信してから削除する旨の許可情報と、記憶部１４０に記憶されている許可符号とが含まれているかを判別する。ユーザから受信したメールに許可情報または許可符号とが含まれていない場合には、回線を切断するステップＳＴ８１００に制御を移行する。ユーザから受信したメールに許可情報と許可符号とが含まれている場合には、個人情報を所定のアドレス宛へ送信してから削除するためにステップＳＴ７９００へと制御を移行する。
【０１３６】
ステップＳＴ７９００では、記憶部１４０に記憶されている個人情報のうち、所定のアドレス宛に送信してから削除するようにあらかじめ設定されている情報、または所定のアドレス宛に送信してから削除するようにステップＳＴ７７００で受信したメールで指示された情報を抽出する。具体的には、記憶部１４０に記憶されている個人情報は、送信先の氏名、電話番号、住所、メールアドレス、通信履歴情報、通信メール情報などがあるが、これらの情報の１または複数を所定のアドレス宛に送信してから削除するために抽出する。
【０１３７】
そして、ステップＳＴ７９１０では、ステップＳＴ７９００で抽出された個人情報を、メールで送信できる形式に変更する。
【０１３８】
そして、ステップＳＴ７９２０では、ステップＳＴ７９１０でメール送信可能な形式に変更された個人情報を、所定のアドレス宛にメールで送信する。
【０１３９】
そして、ステップＳＴ８０００では、ステップＳＴ７９２０で所定のアドレス宛に送信された個人情報を選択的に削除する。
【０１４０】
そして、ステップＳＴ８１００では、通信回線を切断する。
【０１４１】
以上の処理により、携帯電話機４００は、最後に操作部１６０の操作がなされ、次の操作がされることなく、保護周期を経過した時点で、記憶部１４０に記憶されている個人情報を所定のアドレス宛に送信してから削除することができる。これにより、盗難、紛失、置き忘れ時に、ユーザは、携帯電話機４００に記憶している個人情報をメールを介して入手することができる。これにより、ユーザは、紛失したデータを再現することができるとともに、個人情報を削除することができ、ユーザ以外の不正な使用者が個人情報を閲覧することを不可能とする。
【０１４２】
【発明の効果】
以上説明したように、本発明によれば、携帯電話機に記憶されている個人情報をユーザ以外の不正な使用者から保護し、個人情報の安全性確保の向上をすることができる。
【図面の簡単な説明】
【図１】本発明の実施の形態１〜３の携帯電話機の構成を示すブロック図
【図２】本発明の実施の形態１〜３の携帯電話機の通話システムを示すブロック図
【図３】本発明の実施の形態１の携帯電話機の動作を説明するためのフロー図
【図４】本発明の実施の形態２の携帯電話機の動作を説明するためのフロー図
【図５】本発明の実施の形態３の携帯電話機の動作を説明するためのフロー図
【図６】本発明の実施の形態４〜９の携帯電話機の構成を示すブロック図
【図７】本発明の実施の形態４の携帯電話機の動作を説明するためのフロー図
【図８】本発明の実施の形態５の携帯電話機の動作を説明するためのフロー図
【図９】本発明の実施の形態６の携帯電話機の動作を説明するためのフロー図
【図１０】本発明の実施の形態７の携帯電話機の動作を説明するためのフロー図
【図１１】本発明の実施の形態８の携帯電話機の動作を説明するためのフロー図
【図１２】本発明の実施の形態９の携帯電話機の動作を説明するためのフロー図
【符号の説明】
１００、４００  携帯電話機
１２０  送信部
１３０  受信部
１４０、４２０  制御部
１５０  認証部
１６０  記憶部
１７０  操作部
１８０  表示部
２００  バス
４１０  タイマ部
【図１】
2004229240.tif 000003
【図２】
2004229240.tif 000004
【図３】
2004229240.tif 000005
【図４】
2004229240.tif 000006
【図５】
2004229240.tif 000007
【図６】
2004229240.tif 000008
【図７】
2004229240.tif 000009
【図８】
2004229240.tif 000010
【図９】
2004229240.tif 000011
【図１０】
2004229240.tif 000012
【図１１】
2004229240.tif 000013
【図１２】
2004229240.tif 000014